(57)【特許請求の範囲】
【請求項１】
第１ステータ要素（１０２）及び第２ステータ要素（１０４）を含むステータの環状空洞（１０６）内に配置される圧力バランスシール（１１０）であって、
径方向内側に面するシール面（１１６）と、
前記ステータと接合する少なくとも一つの表面を含むステータ境界面と、
前記シール面（１１６）上の空隙を含む摩擦低減機構（１２０）と
を含み、
前記空隙は、前記圧力バランスシール（１１０）に作用する垂直抗力が、前記流体の圧力によって生成される反対方向の力で低下されるよう流体を受けるよう、前記ステータ境界面に面する高圧領域から、前記シール面（１１６）に面する低圧領域に流体が移動できる、前記シール面（１１６）に沿った溝（１２０）として構成され、
前記摩擦低減機構（１２０）は、前記ステータ境界面から前記シール面に貫通する貫通穴を備え、該貫通穴を通じて、前記高圧領域から、前記低圧領域に流体を移動させることで、前記圧力バランスシール（１１０）への前記垂直抗力を低減し、
前記圧力バランスシール（１１０）は、更に、該圧力バランスシール（１１０）の捩じれを低減するよう、前記第１ステータ要素（１０２）と接合する前記圧力バランスシール（１１０）の第１表面（１１４）と、前記シール面（１１６）の反対側にある背面（１２４）との間に形成された面取り部（１２６）を含む
圧力バランスシール。
【請求項２】
前記圧力バランスシール（１１０）の捩じれを低減するよう、前記第２ステータ要素（１０４）と接合する前記圧力バランスシール（１１０）の第２表面（１１８）から前記第２ステータ要素に向けて垂直に延びる突出部（１２８）を更に含む、
請求項１に記載の圧力バランスシール。
【請求項３】
前記貫通穴が、前記第２ステータ要素（１０４）と接合する前記圧力バランスシール（１１０）の第２表面（１１８）から前記シール面に貫通する第１の経路（５０４）を含む、請求項１に記載の圧力バランスシール。
【請求項４】
前記貫通穴が、前記背面から前記シール面に貫通する第２の経路（５００）を含む、請求項１乃至３のいずれか１項に記載の圧力バランスシール。
【請求項５】
前記貫通穴が、前記面取り部（１２６）から前記シール面に貫通する第３の経路（５０２）を含む、請求項１乃至４のいずれか１項に記載の圧力バランスシール。
【請求項６】
第１ステータ要素（１０２）及び第２ステータ要素（１０４）を含むステータの環状空洞（１０６）内に配置される圧力バランスシール（１１０）であって、
径方向内側に面するシール面（１１６）と、
前記ステータと接合する少なくとも一つの表面を含むステータ境界面と、
前記シール面（１１６）上の空隙を含む摩擦低減機構（１２０）と
を含み、
前記空隙は、前記圧力バランスシール（１１０）に作用する垂直抗力が、前記流体の圧力によって生成される反対方向の力で低下されるよう流体を受けるよう、前記ステータ境界面に面する高圧領域から、前記シール面（１１６）に面する低圧領域に流体が移動できる、前記シール面（１１６）に沿った溝（１２０）として構成され、
前記摩擦低減機構（１２０）は、前記ステータ境界面から前記シール面に貫通する穴を備え、該穴を通じて、前記高圧領域から、前記低圧領域に流体を移動させることで、前記圧力バランスシール（１１０）への前記垂直抗力を低減し、
前記圧力バランスシール（１１０）は、更に、前記圧力バランスシール（１１０）の捩じれを低減するよう、前記第２ステータ要素（１０４）と接合する前記圧力バランスシール（１１０）の第２表面（１１８）から前記第２ステータ要素に向けて垂直に延びる突出部（１２８）を含む、
圧力バランスシール。
【請求項７】
前記貫通穴が、前記第２ステータ要素（１０４）と接合する前記圧力バランスシール（１１０）の第２表面（１１８）から前記シール面に貫通する第１の経路（５０４）を含む、請求項６に記載の圧力バランスシール。
【請求項８】
前記貫通穴が、前記背面から前記シール面に貫通する第２の経路（５００）を含む、請求項６又は７に記載の圧力バランスシール。
【請求項９】
前記高圧領域と、
前記低圧領域と、
前記高圧領域から前記低圧領域への漏れを防ぐために設けられた請求項１乃至８のいずれか１項に記載の圧力バランスシール（１１０）と
を有する、タービン。
【発明の詳細な説明】
【技術分野】
【０００１】
本発明は、概してシールの分野に関し、より詳細には、軸方向運動を含む相対運動を行う要素間で圧力を平衡化するシールを実現するシステム及び方法に関する。
【背景技術】
【０００２】
ピストンリングは、ガスタービンエンジンにおいて、高圧区画から低圧区画への漏れを防ぐために、軸方向に移動するピストンと、静置チャンバとの間に幅広く利用されている。これと同じ圧力は、ピストンに対してリングを押しつけて、摩擦荷重を付与するように作用する。ガスタービン又は蒸気タービンの始動工程中には各種異なるレベルの圧力が存在し得るため、ピストンリングに作用する結果的な圧力は、広い範囲で変化し得る。圧力が上昇するにつれて、結果的に生じるピストンリングとピストンの間の摩擦が大きくなる。
【先行技術文献】
【特許文献】
【０００３】
【特許文献１】米国特許第６３６７８０６Ｂ１号明細書
【発明の概要】
【発明が解決しようとする課題】
【０００４】
従って、タービン内の相対軸方向運動を有する要素間の摩擦を低減する効果的な技法を開発することが求められている。
【課題を解決するための手段】
【０００５】
本発明の実施形態によれば、圧力バランスシールが提供される。この圧力バランスシールは、径方向内側に面するシール面と、ステータと接合する少なくとも一つの表面を有するステータ境界面とを含む。また、圧力バランスシールは、摩擦低減機構を更に含む。摩擦低減機構は、シール面上の空隙を含む。この空隙は、流体を受け入れ、流体の圧力によって生成される力で、圧力バランスシールに作用する垂直抗力を平衡化するように構成される。
【０００６】
一実施形態において、圧力バランスシールは蒸気タービンに組み込まれる。
【０００７】
他の実施形態によれば、ステータと、ロータと、非接触端面シールアセンブリとを含む大型タービンの組み立て方法が提供される。このタービン組み立て方法は、少なくとも第１シール要素と第２シール要素を備える圧力バランスシールを設けることを含む。次に、少なくとも一方のシール要素は、ステータアセンブリ内の環状間隙の中に配置される。
【０００８】
前述したもの、並びに他の本発明の特徴、態様、及び利点は、付属の図面を参照しながら下記の詳細な説明を読むことでより適切に理解されるであろう。図面において、同様の符号は、図面全体で同様の部品を表す。
【図面の簡単な説明】
【０００９】
【図１】本発明の一態様を実施するシールアセンブリの部分斜視図、及びその一部の拡大図である。
【図２】図１のシールアセンブリの角状空洞内の圧力バランスシールを示す側面図である。
【図３】図１の圧力バランスシールの部分正面図である。
【図４】本発明の他の態様を実施する圧力バランスシールを部分的に示す図である。
【図５】本発明の複数の態様に係る、圧力バランスシールの貫通穴構造を示した、圧力バランスシールの側面図である。
【発明を実施するための形態】
【００１０】
本明細書では、単数形式で表され、「一つの」という言葉の後に記載される要素又は機能は、特に排除することが明示的に記載されていない限り、その要素又は機能が複数存在することを排除しないものとして理解されたい。また、請求項に記載された本発明の「一実施形態」についての言及は、請求項に記載された機能が組み込まれる他の実施形態の存在を除外するものとして解釈されるべきではない。
【００１１】
図１は、例えば蒸気タービンで利用できる、本発明の一態様を実施するシールアセンブリ１００の部分断面図である。図１に、ステータの第１ステータ要素１０２及び第２ステータ要素１０４、ステータ要素１０２とステータ要素１０４の間の環状間隙１０６、並びに少なくとも部分的に環状間隙１０６内に配置される二次圧力バランスシール１１０を示す。図示したステータ要素１０２，１０４は、軸方向１６０に沿ってピストン（図示せず）が移動するための円筒容積を画定する。径方向は、図１において参照番号１７０で示されている。圧力バランスシール１１０は、特定の実施形態ではピストンリング１１０であり、蒸気タービン内で、圧力が異なる少なくとも２つの蒸気（又は空気）空洞の間にシールを提供するように構成される。一実施形態によれば、蒸気タービン内の高圧領域は一般に、温度が華氏約１２００度で、圧力差が通常最大で１８００ｐｓｉであるが、場合によっては３０００ｐｓｉの高さになる空気若しくは蒸気、又はその両方を含む。当業者であれば、この温度及び圧力差は、タービン用途が異なれば変化することは理解されるであろう。ピストンリング１１０は、シール面１１６を有するシール境界面と、例えば、ステータ要素１０２，１０４を備えるステータと接合する複数の表面を有するステータ境界面とを含む。例えば、図１及び図２において、ステータ境界面は、シール面１１６のほぼ反対側にある背面１２４と、第１ステータ要素１０２と実質的に接合する第１表面１１４と、第２ステータ要素１０４と実質的に接合する第２表面１１８とを含む。ステータ境界面は、ステータ、すなわちステータ要素１０２，１０４と接合する、圧力バランスシール１１０の全ての表面を表す。ステータ（図にはその一部のみが示されている）は、一体型の１部品ステータで構成されても、又は２部品（図１及び図２に示すもの）を含んでも、又は２つより多くの部品を含んでも良い。ステータ要素１０２，１０４は単に、圧力バランスシール１１０が存在する環状間隙１０６を識別するために特徴的にマーキングされている。従って、一実施形態において、ステータ要素１０２，１０４は、単一部品のステータに属する。他の実施形態によれば、ステータ要素１０２，１０４は、多部品ステータのうちの異なる部品に属し、例えば、図１に示すように、第１ステータ要素１０２及び第２ステータ要素１０４は、２部品ロータの第１部品及び第２部品にそれぞれ所属する。
【００１２】
また、図示例において、ピストンリング１１０、すなわち圧力バランスシール１１０は、ほぼ均等にそれぞれ第１半円シール要素１３０及び第２半円シール要素１４０に分割されて、半分割ピストンリングを提供する。半分割ピストンリング１１０は、第１シール要素１３０を含み、この第１シール要素１３０は、予め策定された重複部１１２によって第２シール要素１４０の上に延びる。予め策定された重複部１１２は、図１に示すように、例えば、ピストンリング１１０のシール面１１６に沿って密接して突き合わされる重複輪郭によって、２つのシール要素１３０と１４０の間の漏れを低減する。圧力バランスシール１１０のリングは、少なくとも一つの回転防止機構、例えば、リテーナスロット１０８を更に含む。一実施形態によれば、リテーナスロット１０８は、予め策定された重複部１１２内の背面１２４に沿った空間であり、ステータ（又はステータ要素１０２，１０４の一方）からの隆起部（図示せず）と噛み合って、環状空洞１０６内のピストンリング１１０の相対円形移動を阻止する。本明細書では、特に明記しない限り、シール要素１４０に関して説明する概念は、通例、圧力バランスシール１１０（シール要素１３０を含む）に適用され、その逆も同様であることは理解されよう。また、本明細書では、半分割圧力バランスシール１１０が例示されるが、本発明は、２つより多くのシール要素を有するシール、又は全円リングの外周に沿って、例えば、少なくとも１箇所で分割される全円リングシールも含み得ることも理解されよう。
【００１３】
次に図２を参照すると、環状空洞１０６内に配置されたシール要素１４０の正面図が示されている。シール要素１４０は、第１表面１１４の端縁と背面１２４とで形成される外形輪郭、例えば、面取り部１２６を含む。動作上の利点の一つによれば、面取り部１２６は、シール要素１４０とステータ構成要素（例えば、第１ステータ要素１０２及び第２ステータ要素１０４を含む）との間の干渉又は絡み合いを防ぐ役割を担う。シール要素１４０は、第２表面１１８から垂直に延びる突出部１２８を更に含む。複数の実施形態に係る突出部１２８は、例えば図３に図示するように、シール要素１４０の長さ全体に亘って延びる。突出部１２８は、シール要素１４０が、環状空洞１０６から、例えば径方向内側に外れることを防ぐように作用できる。面取り部１２６及び突出部１２８は、圧力バランスシール１１０の捩れを防ぐ作用も有する。例えば、面取り部１２６（図２に、シール１１０の断面の左上部に位置する状態で図示）及び突出部１２８（図２に、シール１１０の断面の左下部から突出する状態で図示）は、図２に示される状態とは異なって位置するように構成されても良い。代替の実施形態において、面取り部１２６及び突出部１２８は、圧力バランスシール１１０の断面の底面左側に連続して構成される。有利な点として、面取り部１２６及び突出部１２８は、圧力バランスシール１１０（又はシール要素１４０）の断面の重心を調整して、結果的に生じる力が圧力バランスシール１１０上に作用する点から圧力バランスシール１１０の断面の重心までの距離が短くなるように配置できる。この距離の短縮は、環状間隙１０６内でシール要素１４０が捩れる可能性を低減する。
【００１４】
図２に、圧力バランスシール要素１１０を取り巻く環状空洞１０６内に、例えば、タービン（例えば、蒸気タービン）の動作中に加圧されるタービン内の流体によってもたらされる圧力プロファイルの例を更に示して、背面１２４、面取り部１２６、及び突出部１２８を含むステータ境界面の表面に各種の力が作用する様子を表した。図２には、更に、環状空洞１０６内の流体圧力によってシール要素１４０のステータ境界面にもたらされる力１５０，１５２，１５４の例が示されている。ピストンリング１１０の最大厚さ及び対応する溝寸法は、小さい有限の隙間を提供するように選択される。これは、環状間隙１０６に対するピストンリング１１０の軸方向移動を規制すると共に、ピストンの軸方向運動と周期的圧力の複合効果のもとでのピストンリング１１０の断面の各種の捩れ又は歪みを規制する。ここで、例示した図は原寸に比例したものではなく、特定の側面又は特徴物は、説明を明瞭にするために誇張される場合があることを注記しておく。例えば、表面１１４と第１ステータ要素１０２の間の隙間距離、若しくは第２表面１１８（又は突出部１２８）と第２ステータ要素１１８の間の隙間距離、又はその両方は、図２を見易くするために拡大されている。
【００１５】
また、動作において、シール要素１４０（及び全体としては圧力バランスシール１１０）のシール面１１６上の流体圧力は、一般に、シール要素１４０に作用する、環状空洞１０６内の流体圧力よりも低い。結果的に生じる垂直抗力は、シール要素１４０を径方向内側に仕向け、軸方向に移動可能なピストン（図には記載せず）にシール要素を押し付ける。このような垂直抗力は、シール要素１４０と、シール面１１６に接合しているピストンとの摩擦を大きくする。
【００１６】
次に、図３を参照すると、本発明の一態様を実施する、図１の圧力バランスシール１１０のシール要素１４０の部分図が示されている。シール要素１４０は、図１に記載された第１ステータ要素１０２と第２ステータ要素１０４の間の環状間隙１０６（図１）の中に位置するように構成される。動作において、シール要素１３０，１４０とステータ（第１ステータ要素１０２及び第２ステータ要素１０４を含む）との間で、環状間隙１０６内に高い圧力が存在する（又は発生する）。この高い圧力は、圧力バランスシール１１０のステータ境界面とステータの間の領域内の流体（例えば、蒸気又は空気）によって生成される。シール面１１６は、通常、比較的圧力の低い流体を受けるため、圧力バランスシール上に最終的な垂直抗力（ネット（net）垂直抗力）が生じる。この垂直抗力は、圧力バランスシール１１０に対して径方向内側に作用して、圧力バランスシール１１０とピストンの間の摩擦を大きくする。本発明の有利な態様によれば、摩擦低減機構１２０は、シール面１１６に、流体を受け入れる空隙１２０を含み、これにより、シール要素１４０に作用する垂直抗力が、空隙１２０内の流体の圧力によって平衡化される。図３に示すようなより具体的な実施形態において、空隙１２０は、シール要素１３０，１４０のいずれか一方のシール面１１６上に閉じた溝を含み、この溝は、図３のシール要素１４０のシール面１１６内に、開始点１２１及びその開始点１２１と同様の終了点（図示せず）を含む。すなわち、溝１２０は、分割シール要素、例えば、図１の分割シール要素１３０及び１４０にまたがって連続してはいない。従って、動作において、溝１２０は、開口部（穴又は切り欠き）を除いて閉じている（又はほぼ閉じている）空隙を、ピストン面と協働してシール面１１６に画定する。開口部は、開示する実施形態によって有利に配設されるものであるが、これについては後で説明する。異なる表現を用いると、空隙１２０は、シール面１１６の連続した境界に取り囲まれている。シール面１２０に沿って空隙１２０を取り囲む連続した境界は、動作中、開示する実施形態によって有利に配設される開口部（例えば、切り欠き）を除いて、ピストン面と接触している。
【００１７】
図３に図示した実施形態において、摩擦低減機構１２０は、穴１２２とも称される貫通穴を更に含み、この穴１２２は、シール面１１６の空隙１２０から、圧力バランスシール１１０のステータ境界面である複数の表面のうちの少なくとも一つまで延びる。穴１２２は、シール／ピストン境界面、例えば、シール面１１６に、高圧領域と溝１２０の間の経路を提供する。一実施形態に係る動作において、前述したように、穴１２２を除き、溝１２０は、シール面１１６に近接した位置のピストンと協働して、シール面１１６に実質的に閉じた空隙を提供する。
【００１８】
図３に記載した実施形態において、穴１２２は、シール面１１６上の摩擦低減機構１２０の空隙からシール要素１４０の背面１２４まで延びる。摩擦低減機構１２０は、これ以外の場合には密封される、背面１２４近くの高圧流体が、シール面１１６に隣接した低圧領域、具体的には、空隙１２０まで移動できるようにする。その結果、シール面１１６に隣接した領域の圧力が上昇し、シール要素１４０に対して径方向外側に作用する力が生じるため、シール要素１４０に作用する最終的な垂直抗力が小さくなる（又は平衡化される）。シール面１４０上の最終的な垂直抗力の低減により、シール要素１４０とピストンとの摩擦が小さくなる。図５に、一実施形態に係る穴１２２が背面１２４に貫通して穴５００として顕現した状態を示す。他の実施形態によれば、穴１２２は、空隙１２０と第２表面１１８の間に延び、第２表面１１８上に穴５０４として顕現する。更に他の実施形態において、穴１２２は、面取り部１２６まで貫通し、穴５０２として顕現する。本明細書において、穴１２２は、圧力バランスシール１１０に近接した、圧力の異なる領域間に経路を提供するように機能するものであり、このため、穴１２２は、図３及び図５に記載した貫通穴構造に限定されないことは理解されよう。また、理解されるであろうが、本明細書において、「平衡化する」という用語は、反対（逆）方向に力を印加することにより、圧力バランスシール１１０の最終的な力が低下することを意味し、（特に明記しない限り）最終的な力がゼロになるような、完全な均衡状態、又は力の無効化を必ずしも含意するものではない。
【００１９】
図４に、本発明の他の態様を実施するシール要素４００の部分図を示す。シール要素４００は、いくつか他の特徴に加え、特に、シール面４０６と、第１表面４０４、第２表面４０８、及び背面４１４を有するステータ境界面とを含む。シール要素４００は、シール要素４００のシール面４０６に空隙４１０（例えば、溝）を提供する摩擦低減機構４１０も含む。溝４１０は、シール要素４００のシール面４０６内に開始点４１１及び終了点（図示せず）を含む。摩擦低減機構４１０は、シール要素４００に近接した高圧領域と低圧領域の間に流体の漏れ経路を提供する、少なくとも一つの切り欠き４１２を含む。具体的には、図４に、シール面４０６近くの領域及び第２表面４０８近くの領域を含む、他の場合には実質的に密封される少なくとも２つの領域間の漏れ経路を提供する切り欠き４１２が示されている。各種の実施形態によれば、切り欠き４１２は、シール要素４００の表面に形成されるチャンネルである。図示した実施形態において、切り欠き４１２は、シール要素４００のシール面４０６に形成されて、第２表面４０８からシール面４０６への流体の経路を形成するチャンネルである。切り欠き４１２を含む摩擦低減機構４１０により、第２表面４０８近くの高圧流体は、シール面４０６、具体的には空隙４１０に隣接した低圧領域まで移動できる。その結果、シール面４０６に隣接した領域の圧力が上昇して、シール要素４００に対して径方向外側に作用する力が生じるため、シール要素４００に作用する最終的な垂直抗力が低減される。シール要素４００の最終的な垂直抗力の低減により、シール要素４００と、軸方向に移動可能なピストンとの摩擦が小さくなる。前述したように、切り欠き４１２を除いて、溝４１０は、動作において、シール面４０６に近接して位置するピストンと協働して、シール面４０６に実質的に閉じた空隙を提供する。
【００２０】
図３及び図４に基づいて説明した摩擦低減機構は、高圧領域と、シール要素１４０（又は４００）近くの低圧領域の間の圧力の動的平衡を維持することによって、圧力補正構造を物理的に維持する。また、シール要素１４０の周方向全体に、シール要素１４０の中央平面を通る図３の穴１２２と同様の複数の径方向貫通穴を利用することで、環状間隙１０６内の高圧領域と、シール面１１６上の低圧領域との間の漏れ経路において平均圧力を交換できる。同様に、シール要素１４０の周方向全体に、図４の切り欠き４１２のような複数の切り欠きを利用することで、環状間隙１０６内の高圧領域と、シール面４０６上の低圧領域の間の漏れ経路において平均圧力を交換できる。更に、必要に応じて、所定のシール要素と共に、切り欠き及び穴を一緒に利用しても良い。
【００２１】
再び図２及び図３を参照して説明すると、面取り部１２６は、軸方向における圧力バランスシール１１０の向上した圧力バランスを有利に提供する。第１表面１１４は第１ステータ要素１０２と結合して、二次シール面を形成する。動作において、第１表面１１４の両端に、径方向内側に向かう上流側圧力から下流側圧力への圧力低下が存在する。面取り部１２６は、第１表面１１４の径方向長さを短縮して、より低い圧力に曝される第１表面１１６の領域を小さくする役割を担う。図示したように、面取り部１２６の存在により、例えば、軸方向における圧力バランスシール（すなわちピストンリング）１１０の向上した圧力バランスが達成されるため、第１ステータ要素１０２に向かってピストンリング１１０の第１表面１１４を押しやる力が低減される。ピストンリング１１０の軸方向圧力バランスのこのような向上は、第１表面１１４上の径方向の摩擦力を低減し、ピストンリング１４０が、径方向において、例えば、環状空洞１０６内で比較的自由に移動することを可能にする。ピストンリング１１０の径方向移動に対する抵抗の低下は、動的動作状況において、シール面１１６に作用する力を低減し、このことは、間接的にピストンリング１１０の摩擦性能を改善する。
【００２２】
前述したように、圧力バランスシール１１０，４００の動作モードには各種のものが存在し、上記に提示した説明に適合する複数のシナリオが存在するが、これらは、当業者が容易に思い付くものであり、本発明の範囲及び精神に包含される。このような動作モードは複数の利点を提供する。例えば、図４に例示した分割ピストンリング設計の利用は、ロータの水平取り付けを可能にする。具体的には、２つの半片から成るピストンリング設計を利用することによって、据え置き型のガスタービン及び蒸気タービンの用途でのロータの組み立てを実現できる。２つのピストンリング半片の間の漏れを最小化するために、重畳した設計が考慮される。２つのシール半片の回転を防ぐ追加の機構も提案される。提案するピストンリングの概念は、ピストンリング内の圧力均衡を達成することによって、ピストンリングとピストン表面の間に生じる摩擦力を低減するというものである。非接触端面シールにおける二次シールとして機能し得るリング内の摩擦力を低減することで、一次シールの動的応答が向上する。
【００２３】
本明細書に記載した説明は、いくつかの例を利用して、最良の形態を含む本発明を開示し、当業者が本発明を実現及び利用できるようにするものである。本発明の特許範囲は、請求項によって定義され、また、当業者が想到する他の例を包含し得る。このような他の例は、その例が、請求項の文言通りの内容と相違しない構造要素を有する場合、又は、請求項の文言通りの内容とほとんど相違しない等価の構造要素を有する場合、請求項の範囲内に入ることが意図される。
【００２４】
特に別段の定義がない限り、本明細書で用いる技術用語及び科学用語は、本発明が属する分野の当業者に一般に理解されているとおりの意味を有する。本明細書で用いた「第１」、「第２」などの用語は、何らかの順序、数量、又は重要性を表すものではなく、むしろ、一つの要素と別の要素とを区別するために用いられたものである。「一つの」という表現は、数量を限定するものではなく、むしろ、参照する要素が少なくとも一つ存在することを意味するものであり、「前」、「後」、「底」、若しくは「上」、又はこれら全ての用語は、特に指定がない限り、単に説明の便宜上使用しただけであり、特定の一つの位置、又は空間的方位を限定しない。範囲が開示されている場合、同一の構成要素又は特性に対する範囲はすべて終点を包含することに加え、独立して組み合わせることができる（例えば、「最大で約２５重量％まで、より具体的には、約５重量％から約２０重量％」の範囲は、その終点、及び約５重量％から約２５重量％の範囲内の全ての中間値を包含する等）。数量に関して用いられる「約」という修飾語は、言及した値を含むと共に、内容によって求められるとおりの意味を有する（例えば、特定の測定品質に対応付けられた誤差の程度を包含する）。
【符号の説明】
【００２５】
１００  シールアセンブリ
１０２  第１ステータ要素
１０４  第２ステータ要素
１０６  １０２及び１０４の間の環状間隙
１０８  回転防止機構又はリテーナスロット
１１０  圧力バランスシール又はピストンリング
１１２  重複部
１１４  第１ステータ要素と接合する第１表面
１１６  ピストンが移動するための内側円筒空洞容積に面するシール面
１１８  第２ステータ要素と接合する第２表面
１２０  摩擦低減機構−１１６の空隙又は溝
１２１  溝１２０の開始点（終了点）
１２２  貫通穴又は穴
１２４  シール面１１６の反対側にある背面
１２６  １１４の端縁と１２４とで形成される外形輪郭−面取り部
１２８  シール要素１４０の第２表面１１８に沿った突出部
１３０  第１シール要素
１４０  第２シール要素
１５０  面取り部１２６の表面に作用する力
１５２  背面１２４に作用する力
１５４  突出部１２８に作用する径方向外側の力
１６０  軸方向
１７０  径方向
４００  第２実施形態の圧力バランスシール要素
４０２  重複部
４０４  第１表面
４０６  シール面
４０８  第２表面
４１０  ４０６の溝
４１１  溝４１０の開始点（終了点）
４１２  切り欠き
４１４  背面
４１６  面取り部
４１８  シール要素４００の第２表面４０８に沿った突出部
５００  背面１２４に顕現する空隙１２０からの貫通穴
５０２  面取り部１２６に顕現する空隙１２０からの貫通穴
５０４  第２表面１１８に顕現する空隙１２０からの貫通穴
【図１】
0006025236.tif 000002
【図２】
0006025236.tif 000003
【図３】
0006025236.tif 000004
【図４】
0006025236.tif 000005
【図５】
0006025236.tif 000006